(57)【要約】      （修正有）【課題】人工芝と人工芝を固定するための樹脂マットを用いた人工芝マットにおいて、人工芝を樹脂マット上に着脱可能に接合固定することで、人工芝の接合作業を容易にするとともに磨耗した人工芝の交換を容易にする。【解決手段】樹脂マット３０と、この樹脂マット上に固定される人工芝２０からなる人工芝マット１０において、樹脂マット上の所定個所に螺合穴３５を形成する。この螺合穴は、樹脂マットに貫通して設けた穴周縁部から内向きに突設した複数の爪状弾性片を備える。ネジ部材を前記人工芝２０の上面から貫通し樹脂マット３０に螺合する。そして、前記爪状弾性片によりネジ部材のネジ山を保持することで、人工芝を樹脂マットに対し着脱可能に構成する。【選択図】図１
0003173842.tif 000002
【実用新案登録請求の範囲】
【請求項１】
繊維層からなる支持シートの表面に多数の小突起を立設した一体成形物からなる人工芝と前記人口芝を固定するための樹脂マットからなる人工芝マットであって、
前記樹脂マットは、その上面に前記人工芝をネジ部材により着脱可能に螺合保持するための接合部を備え、
この接合部には、前記ネジ部材が螺合するネジ受け部となる螺合穴が貫通して設けられ、
この螺合穴の穴周縁部には、複数の爪状弾性片が周方向の所定間隔をおいた位置から内向きに突設され、
これらの爪状弾性片が、前記螺合穴に前記ネジ部材が螺合されたときにネジ受け部のネジ山として該ネジ部材の抜けだしを係止保持するように構成されていることを特徴とする人工芝マット。
【請求項２】
請求項１記載の人工芝マットにおいて、
前記人工芝マットは、その上面に一枚の人工芝または複数枚の人工芝を所定の配列状態に並べて接合できる大きさで形成されていることを特徴とする人工芝マット。
【請求項３】
請求項１又は請求項２のいずれかに記載の人工芝マットにおいて、
人工芝と樹脂マットを螺号保持するための前記ネジ部材がタッピングネジであることを特徴とする人工芝マット。
【考案の詳細な説明】
【技術分野】
【０００１】
本考案は、バルコニーやベランダ等に敷設される人工芝マットに関し、特に人工芝を固定するための樹脂マット及びこの樹脂マットを基材とし、その表面に人工芝を敷設することによって構成される人工芝マットに関する。
【背景技術】
【０００２】
従来、家庭用の人工芝は、ベランダやバルコニーのコンクリートなどの床に直接敷設され、接着剤等で床材に固着される構造となっており、人工芝の表面に床材の凹凸を反映した凹凸が生じてテーブルなどを設置する際に不安定になり、また、人工芝が磨耗して交換する際に人工芝をはがさねばならないが、床材と人工芝の裏面がきれいにはがれずに、再敷設に際して作業が困難になる等の問題があった。
【０００３】
このため、近年では、上述したような安定性や交換作業の困難性等の問題点を一掃するために、樹脂マット上に複数枚の人工芝を所要の配列状態に並べて配置させ、それぞれを接着材で接合したりピンなどで固定してなる人工芝マットが用いられるようになってきている（例えば、特許文献１，２等参照）。
【０００４】
すなわち、従来この種の人工芝マットにおいて、特許文献１の人工芝生では、プラスチック製デッキと人口芝生布を接着剤で接着するか、プラスチックネイル又はプラスチック製ホックで固定することとしている。
【０００５】
また、特許文献２の人工芝生では、人口芝生の基布に透水性を持たせえるために熱ピンを基布を貫通させて排水孔を先行する際に、基布と排水デッキの接合面にホットメルト接着剤などをはさんでおくことによりこれらを接合固定している。
【先行技術文献】
【特許文献】
【０００６】
【特許文献１】特開平７−１４４３７６号公報
【特許文献２】実登第２５８０９４４号公報
【考案の概要】
【考案が解決しようとする課題】
【０００７】
しかし、上述した従来の人工芝マットでは、基材である樹脂マット上に人工芝が接着剤で接合され、完全に固定されていることから、一度固定したら人工芝が磨耗しても人工芝だけを交換することができず、樹脂マットごとすべて交換しなければならないという問題があった。
【０００８】
すなわち、この種の人工芝マットは、基材としての樹脂マット上に人工芝を接着して設けることにより、この人工芝マットをその施工場所に敷き詰めればよいことから施工が簡便であり、施工性に優れているとして、バルコニーやベランダ等に多用されつつある。
【０００９】
特に、この種の人工芝マットは、通常、人工芝の剥がれ等を防ぐために、人工芝を接着剤で樹脂マットに強固に接着固定しているものである。
その一方において、この種の人工芝マットには、施工場所に一旦敷き詰めた後、人工芝の磨耗した部分又は全体を交換することができること等も望まれているものであって、このような相反する要求に応えることができることが要望されている。
【００１０】
本考案はこのような事情に鑑みてなされたものであり、人工芝を固定するための樹脂マット及びこの樹脂マットに人工芝を組み合わせて固定してなる人工芝マットにおいて、人工芝を樹脂マット上に着脱可能に接合固定することで、人工芝の組み合わせ等を変更可能とする樹脂マット及びこれを用いた人工芝マットを得ることを目的とする。
【課題を解決するための手段】
【００１１】
このような目的に応えるために本考案（請求項１記載の考案）に係る樹脂マットは、繊維層からなる支持シートの表面に多数の小突起を立設した一体成形物からなる人工芝と前記人口芝を固定するための樹脂マットからなる人工芝マットであって、前記樹脂マットは、その上面に前記人工芝をネジ部材により着脱可能に螺合保持するための接合部を備え、この接合部には、前記ネジ部材が螺合するネジ受け部となる螺合穴が貫通して設けられ、この螺合穴の穴周縁部には、複数の爪状弾性片が周方向の所定間隔をおいた位置から内向きに突設され、これらの爪状弾性片が、前記螺合穴に前記ネジ部材が螺合されたときにネジ受け部のネジ山として該ネジ部材の抜けだしを係止保持するように構成されていることを特徴とする。
【００１２】
本考案（請求項２記載の考案）に係る人工芝マットは、請求項１記載の人工芝マットにおいて、その上面に一枚の人工芝または複数枚の人工芝を所定の配列状態に並べて接合できる大きさで形成されていることを特徴とする。
【００１３】
本考案（請求項３記載の考案）に係る樹脂マットは、請求項１又は請求項２のいずれかに記載の人工芝マットにおいて、人工芝と樹脂マットを螺号保持するための前記ネジ部材がタッピングネジであることを特徴とする。
【考案の効果】
【００１４】
以上説明したように本考案に係る人工芝マットによれば、樹脂マットの螺合穴の穴周縁部に設けた複数の爪状弾性片等で弾力を持たせ、その弾力により爪状弾性片が人工芝の上面から人工芝を貫通させたネジのネジ山の角度に合わせて変形することにより人工芝をはさんでネジと樹脂マットを保持固定することで人工芝を着脱自在とし、これにより人工芝を必要に応じて取り外して磨耗した人工芝を交換することができる。
【００１５】
さらに、本考案によれば、従来のような接着剤による接着固定が不要となるため、装着時の作業性に優れ、作業時間の大幅な短縮化を図ることができる。
【図面の簡単な説明】
【００１６】
【図１】本考案に係る樹脂マット及びこれを用いた人工芝マットの一実施形態を示す斜視図である。
【図２】図１の人工芝マットを示す概略斜視図である。
【図３】図１及び図２の人工芝マットの基材部である樹脂マットの構造を説明するための側面図である。
【図４】本考案を特徴づける樹脂マットと人工芝との着脱可能な螺合構造を説明するための底面図及び側面図である。
【図５】図２の螺合構造を説明するための斜視図である。
【図６】図５の螺合構造の爪状弾性片を示す拡大斜視図である。
【図７】本考案に係る樹脂マット及びこれを用いた人工芝マットの別の実施形態を示し、基材となる複数の樹脂マットの係合構造を示す斜視図である。
【図８】本考案に係る樹脂マット及びこれを用いた人工芝マットの他の実施形態を示し、人工芝と樹脂マットとの関係を適宜設定した例を説明するための概略斜視図である。
【考案を実施するための形態】
【００１７】
図１ないし図５は本考案に係る樹脂マット及びこれを用いた人工芝マットの一実施形態を示すものであり、これらの図において、この実施形態では、人工芝マット１０として、図１および図２に示すように、人工芝２０を正方形状の樹脂マット３０上に設けた場合を説明する。
【００１８】
これを簡単に説明すると、符号１０は、建材マットとして、例えば床面、壁面、あるいはバルコニーやベランダ等に敷き詰められることで、該施工場所を体裁のよい人工芝模様の化粧を施すことができる人工芝マットであり、人工芝２０とこれを所要の配列状態で並べる樹脂マット３０とによって構成されている。
【００１９】
ここで、上述した人工芝２０は、繊維層からなる支持シートの表面に多数の小突起を立設した一体成形物であって、適宜の材質で形成され、その表面及び小突起には、適宜の色彩、その他模様などが必要に応じて付されている。
【００２０】
前記樹脂マット３０は、上述した人工芝２０を敷設できる大きさ、例えば３０ｃｍ角の正方形状の板材であって、この実施形態では、樹脂マットの表面に４×４の配列で計１６個の正方形の区画を設けており、各区画は間に溝を設けることにより区分され、各区画に２個所、計３２個所に人工芝接合のための螺合穴を有している。
また、図中３５は樹脂マット３０に設けられた螺合穴脚部であり、樹脂マット３０の螺合穴３５を設けた位置の下面に脚部３３が突設されている。
【００２１】
なお、図中３１は連結腕、３２は該連結腕３１が係合する連結凹部であり、それぞれが樹脂マット３０の各々二辺ずつの側面部に突設または凹設されている。これらの連結腕３１を隣接する樹脂マット３０の連結凹部３２に順次連結させることにより、複数枚の樹脂マット３０を順次連結して敷設することができる。
【００２２】
前記樹脂マット３０上の人工芝２０を接合するための各接合部には、図３、図４に示すように、脚部３３の上部に螺合穴３５が貫通して設けられ、前記人工芝２０の上面から下面に貫通したネジ部材２１が螺合することにより、人工芝を着脱可能に螺合固定するように構成されている。
【００２３】
ここで、螺合穴３５の穴周縁部は、図５に示すように、複数の爪状弾性片３７が、穴周縁部から内向きに突設することにより形成されている。
【００２４】
以上の構成によれば、樹脂マット３０上の各接合部に対し、人工芝２０の上面から下面に貫通したネジ部材２１を螺合穴３５に螺合させることにより、人工芝２０を樹脂マット３０に着脱自在に螺合保持させることができる。
【００２５】
この状態を図５に示しており、ネジ部材２１を螺合穴３５に螺合させることで、爪状弾性片３７が部材２１のネジ溝に沿って捩れるように弾性変形し、該ネジ部材２１が人工芝を挟んで樹脂マット３０に係止することにより、人工芝２０を樹脂マット３０の接合部に着脱自在に螺合保持させることができる。
【００２６】
また、この状態からネジ部材２１を逆回転させ、ネジ部材２１を螺合穴３５から引き抜くことにより、螺合状態を解除することができる。
【００２７】
したがって、このような螺合構造による樹脂マット３０と人工芝２０とネジ部材２１とによる人工芝マット１０によれば、該人工芝マット１０を敷設する建築物の床面あるいは壁面等といった施工場所に樹脂マット３０を順次敷設し、接着剤その他の固定手段で固定した後、ネジ部材２１を人工芝２０を挟んで順次樹脂マット３０の各接合部に組み付けて螺合させることにより、人工芝２０を樹脂マット３０に組み付け固定することができる。
【００２８】
また、このような人工芝マット１０によれば、ネジ部材２１を逆回転させ、ネジ部材２１を螺合穴３５から引き抜くことにより、人工芝２０を簡単に取り外すことが可能であり、模様替えを行ったりする際に便利である等といった利点がある。
【００２９】
なお、本考案は上述した実施の形態で説明した構造には限定されず、各部の形状、構造等を適宜変形、変更し得ることはいうまでもない。
例えば、上述した実施形態では、１枚の人工芝２０を樹脂マット３０に組み付けて敷設した場合を説明したが、本考案はこれに限定されず、例えば図７に示すように、基材となる樹脂マットよりも広い１枚の人工芝２０を、連結腕３１を隣接する樹脂マットの連結凹部３２に係止することにより組み合わせた複数の樹脂マット３０の上に敷設してもよい。
ここで、図６中３９は穴であり、樹脂マット３０の成形時において成形性の向上や樹脂材料の削減等を図るためのものである。
【００３０】
さらに、上述した人工芝２０としては、繊維層からなる支持シートの表面に多数の小突起を立設した一体成形物からなるものであり、繊維層は天然繊維、化学繊維、さらに不織布等、適宜のものを提供できるものであり、要はネジ部材２１が人工芝２０を貫通して、これを着脱自在に相手の螺合穴３５に螺合保持させ得るものであればよい。
【００３１】
上述した人工芝２０でネジ部材を貫通させる手段としては、人工芝にあらかじめ直径がネジ部材２１の頭部の外径より小さくネジ部材２１の軸の外径より大きな孔を穿孔してあってもよく、ネジ部材２１としてネジ部材の先端部が尖っており先端までネジ山が立っているタッピングネジにより螺合の際に穿孔するようにしてもよい。
【００３２】
また、上述した実施形態では、樹脂マット３０を、耐久性や耐候性に優れた樹脂であって、こうした人工芝マットの樹脂マット３０として一般的な樹脂材料、例えば、ＰＥ（ポリエチレン）やＥＶＡ（エチレン-酢酸ビニル共重合樹脂）から型成型したものを用いるとよい。勿論、これに限定されないことも言うまでもない。
【００３３】
樹脂マット３０の接合部に設ける螺合穴３５としても、樹脂マット３０の各区画に２個ずつ設けられた螺合穴に限らず、１個、あるいは２個以上の螺合穴３５を設けることは自由である。
【符号の説明】
【００３４】
１０  人工芝マット
２０  人工芝
２１  ネジ部材
３０  樹脂マット
３１  連結腕
３２  連結凹部
３３  脚部
３５  螺合穴
３６  爪状弾性片
３９  穴
【図１】
0003173842.tif 000003
【図２】
0003173842.tif 000004
【図３】
0003173842.tif 000005
【図４】
0003173842.tif 000006
【図５】
0003173842.tif 000007
【図６】
0003173842.tif 000008
【図７】
0003173842.tif 000009
【図８】
0003173842.tif 000010